(57)【特許請求の範囲】
【請求項１】
文字メッセージを受信する携帯通信端末機において、
文字メッセージを受信して貯蔵するメッセージ受信部と、
前記貯蔵された文字メッセージの属性情報に基づいて前記貯蔵された文字メッセージのうちから前記携帯通信端末機を用いたユーザ認証を基盤にする決済に関する決済時間情報、決済費用の使用所に関する情報、決済費用の金額に関する情報のうちいずれか一つを含む決済関連メッセージを検索して決済と関連した統計情報を生成する決済メッセージ管理部と、
前記決済と関連した統計情報を外部に表示するメッセージ表示部とを含み、
前記決済関連メッセージは、決済時間情報、決済費用の使用所に関する情報、決済費用の金額に関する情報のうちいずれか一つを含み、
前記決済と関連した統計情報は決済関連文字メッセージの期間別決済額情報、使用所別決済額情報のうちいずれか一つを含み、
前記文字メッセージの属性情報はテレサービスレイヤのデータ構造のうちメッセージ識別子部分に一定値を割り当てることにより一般文字メッセージと区別さるべくし、前記決済メッセージ管理部は前記メッセージ識別子部分の値に基づいて前記貯蔵された文字メッセージが決済メッセージであるか否かを判断することを特徴とする決済文字メッセージの管理装置。
【請求項２】
前記文字メッセージは、
テレサービスレイヤのデータ構造のうちユーザデータ部分に決済時間情報、使用所情報、決済額情報のうちいずれの一つ以上の情報を含む決済関連情報を含むことを特徴とする請求項１に記載の決済文字メッセージの管理装置。
【請求項３】
文字メッセージを受信する携帯通信端末機において、
（ａ）文字メッセージを受信してデータベースに貯蔵する段階と、
（ｂ）ユーザから決済関連メッセージの検索条件を入力される段階と、
（ｃ）前記貯蔵された文字メッセージの属性情報に基づいて前記データベースから前記携帯通信端末機を用いたユーザ認証を基盤にする決済に関する決済時間情報、決済費用の使用所に関する情報、決済費用の金額に関する情報のうちいずれか一つを含む決済関連メッセージを抽出する段階と、
（ｄ）前記決済関連メッセージのうちから前記検索条件に見合う決済関連メッセージを利用して統計情報を生成する段階と、
（ｅ）前記生成された統計情報を外部に表示してユーザに提供する段階とを含み、
前記決済関連メッセージは、決済時間情報、決済費用の使用所に関する情報、決済費用の金額に関する情報のうちいずれか一つを含み、
前記統計情報は決済関連文字メッセージの期間別決済額情報、使用所別決済額情報のうちいずれか一つを含み、
前記文字メッセージの属性情報はテレサービスレイヤのデータ構造のうちメッセージ識別子部分に一定値を割り当てることにより一般文字メッセージと区別さるべくし、決済メッセージ管理部は前記メッセージ識別子部分の値に基づいて前記貯蔵された文字メッセージが決済メッセージであるか否かを判断することを特徴とする決済関連文字メッセージの管理方法。
【請求項４】
前記（ｂ）段階はユーザから決済関連メッセージの検索条件及び統計処理条件を入力され、
前記（ｄ）段階は前記決済関連メッセージのうちから前記検索条件に見合う決済関連メッセージを前記統計処理条件により統計情報を生成し、
前記（ｅ）段階は前記生成された統計情報を外部に表示してユーザに提供することを特徴とする請求項３に記載の決済関連文字メッセージの管理方法。
【請求項５】
第３項の方法をコンピュータで実行するためのプログラムを記録したコンピュータで読み込み可能な記録媒体。
【発明の詳細な説明】
【０００１】
【発明の属する技術分野】
本発明は携帯通信端末機を利用して費用決済と関連した文字メッセージを管理する装置及びその方法に関する。
【０００２】
【従来の技術】
最近ＨＨＰ（Ｈａｎｄ  Ｈｅｌｄ  Ｐｈｏｎｅ）を活用した費用決済サービスが続々登場している。このような費用決済サービスは、最近に開発されたにもかかわらずユーザがこれを簡便に利用でき、常に携帯するＨＨＰを利用して決済するので、ユーザを移動商取引き（Ｍｏｂｉｌ  Ｃｏｍｍｅｒｃｅ：ＭＣ）の領域に徐々に取り込んでいる。
【０００３】
大部分のＨＨＰを利用した決済システムは小額決済に力点を置いており、その対象はインターネット上でコンテンツ購買費用を決済するのに集中している。現在使われている前記ＨＨＰを利用した決済方法は、ユーザの携帯電話番号と住民登録番号とを確認して有料コンテンツを提供し、その費用に対する決済は前記ＨＨＰ番号の移動電話料金に合算して請求する方式である。この時、ユーザの認証と決済結果情報の伝送とはＳＭＳ（Ｓｈｏｒｔ  Ｍｅｓｓａｇｅ  Ｓｅｒｖｉｃｅ）を利用してなされる。
【０００４】
すなわち、購買者は決済情報を文字メッセージの形態で携帯通信端末機に受信するが、決済関連文字メッセージと決済情報以外の一般的な文字メッセージとが混用して受信されて管理されている。従って、購買者が決済関連文字メッセージを管理するのに不便が伴い、決済メッセージを管理できる機能が携帯通信端末機にて提供されていないことにより、決済費用の合計など決済費用に関する統計情報を得るためには手作業によるしかないという問題点がある。
【０００５】
【発明が解決しようとする課題】
本発明がなそうとする技術的課題は前記のような従来技術の問題点を解決するために、携帯通信端末機での費用決済文字メッセージ管理装置及びその方法を提供するところにある。
【０００６】
【課題を解決するための手段】
本発明がなそうとする技術的課題を達成するための本発明の決済文字メッセージの管理装置は、文字メッセージを受信する携帯通信端末機において、文字メッセージを受信して貯蔵するメッセージ受信部、前記貯蔵された文字メッセージの属性情報に基づいて前記貯蔵された文字メッセージのうちから決済関連メッセージを検索して決済と関連した統計情報を生成する決済メッセージ管理部、前記決済と関連した統計情報を外部に表示するメッセージ表示部を含むことを特徴とする。一方、前記文字メッセージは、テレサービスレイヤのデータ構造のうちユーザデータ部分に決済時間情報、使用所情報、決済額情報のうちいずれの一つ以上の情報を含む決済関連情報を含むことを特徴とする。また、前記文字メッセージの属性情報は、テレサービスレイヤのデータ構造のうちメッセージ識別子部分に一定値を割り当てることにより一般文字メッセージと区別さるべくし、前記決済メッセージ管理部は、前記メッセージ識別子部分の値に基づいて前記貯蔵された文字メッセージが決済メッセージであるか否かを判断することを特徴とできる。
また、前記決済と関連した統計情報は、決済関連文字メッセージの期間別決済額情報、使用所別決済額情報のうちいずれの一つを含むことを特徴とできる。
【０００７】
本発明がなそうとする技術的課題を達成するための本発明の決済文字メッセージ管理方法は、文字メッセージを受信する携帯通信端末機において、（ａ）文字メッセージを受信してデータベースに貯蔵する段階、（ｂ）ユーザから決済関連メッセージの検索条件を入力される段階、（ｃ）前記貯蔵された文字メッセージの属性情報に基づいて前記データベースから決済関連メッセージを抽出する段階、（ｄ）前記決済関連メッセージのうちから前記検索条件に見合う決済関連メッセージを利用して照会情報を生成する段階、（ｅ）前記生成された照会情報を外部に表示してユーザに提供する段階を含むことを特徴とし、前記（ｂ）段階はユーザから決済関連メッセージの検索条件及び統計処理条件を入力され、前記（ｄ）段階は前記決済関連メッセージのうちから前記検索条件に見合う決済関連メッセージを前記統計処理条件により統計情報を生成し、前記（ｅ）段階は前記生成された統計情報を外部に表示してユーザに提供することを特徴とできる。
【０００８】
【発明の実施の形態】
以下、添付図面を参照し、本発明の実施形態を詳細に説明する。
【０００９】
図１はＳＭＳプロトコルスタックを示している。ＳＭＳはＩＳ−９５−Ａのデータバーストメッセージ（リンクレイヤ）を基に形成され、ＳＭＳの伝送メッセージ長さは一般的にハングル１００字程度の最大２００バイトを超えられない。
図２の如く、リンクレイヤはデータバーストメッセージを設定し、リレイレイヤでは端末機の状態とメッセージ長さとにより伝送チャンネルを設定する。トランスポートレイヤは基本的にメッセージ送受信のＭＣと端末機間の終端点を形成し、端末機でテレサービスレイヤからベアラデータを受け取ってメッセージを構成する。テレサービスレイヤはトランスポートレイヤの短文メッセージパラメータの標準化されたサブパラメータを利用して基本的なＳＭＳ機能を支援する。
【００１０】
図２はＩＳ−６３７のレイヤ構造を示している。ＳＭＳを行うための各レイヤ別のメッセージ構造は図２のようであり、データバーストメッセージのＣＨＡＲＩメッセージはＳＭＳパラメータがカプセル化されており、リンクレイヤはこれを分析して上位階層に伝送する。また、リンクレイヤのデータバーストメッセージを基にリレイレイヤのＵＭ（Ｕｓｅｒ  Ｍｏｄｅｌｉｎｇ）インタフェースを経てトランスポートメッセージが形成される。トランスポートレイヤメッセージは、音声私書箱または一般メッセージのようなサービス区分子であるテレサービス識別子、発信側電話番号、応答要求いかんとベアラデータとがある。ベアラデータはテレサービスレイヤを形成し、このテレサービスレイヤは応用サービスを提供する。テレサービスレイヤは、受信メッセージ内容の入っているユーザデータ、該当メッセージに関するデータセンタの時間、優先順位、秘密いかん、メッセージ到着知らせと言語区分とよりなる。
【００１１】
本発明では決済関連ＳＭＳメッセージを送る時にテレサービスレイヤのデータ構造のうちメッセージ識別子部分に新しい値を割り当て、その割り当てられた値により決済関連メッセージを一般メッセージと差別化して管理する。また、決済関連情報をユーザデータ部分に定められた順序により割り当てて管理できる。かかる例が図３に示されている。
【００１２】
前述の如く、図３は図２のユーザデータ部分のデータ構造の実施形態を示している。前記ユーザデータには本発明の決済情報に関する統計の基礎資料として、決済時間情報、決済費用の使用所に関する情報、決済費用の金額に関する情報、購買票情報などが含まれうる。ここで、各情報間の区別は特殊な文字、例えばＴａｂ（０×０９）、ＣＲ（Ｃａｒｒｉａｇｅ  Ｒｅｔｕｒｎ：０×０ｄ）などを使用し、情報の後部分に添加することにより区別できる。
【００１３】
図４は携帯通信端末機での費用決済文字メッセージ管理装置を示している。まず、メッセージ受信部４０１は通信会社から伝送される文字メッセージを受信して貯蔵する機能を行う。一般メッセージ管理部４０２は前記のメッセージ受信部４０１で受信して貯蔵した文字メッセージを読み込んでメッセージ表示部４０４にメッセージを伝送する役割を行う。この時、決済メッセージを除外した一般文字メッセージだけを対象に上の機能を行いもできる。決済メッセージ管理部４０３は前述のメッセージ受信部４０１で受信して貯蔵した文字メッセージのうちから決済情報と関連した文字メッセージだけを読み込んでメッセージ表示部に伝送する役割を行う。この時、ユーザの要求により決済関連文字メッセージの決済関連情報を統計的に分析した結果を生成して前記メッセージ表示部４０４に伝送もできる。メッセージ表示部４０４は前記一般メッセージ管理部４０２または決済メッセージ管理部４０３から表示する情報を受信されて表示することによりユーザに提供する役割を行う。選択部４０５はユーザが一般文字メッセージを見るのかまたは決済関連メッセージを見るのか、あるいは決済関連情報の統計的分析結果を見るのかに関する入力を受け取り、前記一般メッセージ管理部４０２または決済メッセージ管理部４０３に前記入力された情報を伝達する機能を行う。ここで、決済関連情報の統計的分析結果というのは一定期間決済した費用の合計／平均、使用所別費用の合計／平均などのデータになりうる。
【００１４】
図５は決済関連文字メッセージリストを照会する機能の順序図を示している。
まず、貯蔵されているメッセージの数を抽出（５０１）し、貯蔵されたメッセージリストの始めにファイルのポインタを移動（５０２）する。その後、一つの文字メッセージを読み込み、読み込んだ文字メッセージが決済関連メッセージなのか否かを判断（５０３）する。この時、読み込んだ文字メッセージが決済関連文字メッセージの場合には照会メッセージリストに貯蔵（５０４）し、現在ポインタの位置が前記抽出されたメッセージの終わりなのか否かを判断（５０５）し、前記抽出されたメッセージの終わりではない場合には、次のメッセージにポインタを移動（５０６）して再び５０３段階に移動する。一方、５０３段階で読み込んだ文字メッセージが決済関連文字メッセージではない場合には５０６段階に移動する。５０５段階にて前記抽出されたメッセージの終わりに該当する場合には照会メッセージリストを表示（５０７）してユーザに提供する。
【００１５】
図６は期間別決済費用の合計／検索のできる機能の順序図を示している。まず、合計または検索する期間の開始日及び終了日を入力（６０１）され、貯蔵されているメッセージの数を抽出し、貯蔵されたメッセージリストの始めにファイルのポインタを移動（６０２）する。その後、一つの文字メッセージを読み込んで読み込んだ文字メッセージが決済関連メッセージで前記入力された期間の範囲に含まれているか否かを判断（６０３）する。この時、読み込んだ文字メッセージが決済関連文字メッセージであり、前記入力された期間の範囲に属する場合には決済額を合算（６０４）し、現在ポインタの位置が前記抽出されたメッセージの終わりなのか否かを判断（６０５）し、前記抽出されたメッセージの終わりではない場合には次のメッセージにポインタを移動（６０６）し、再び６０３段階に移動する。一方、６０３段階で読み込んだ文字メッセージが決済関連文字メッセージではないか、あるいは前記入力された期間の範囲に含まれない場合には６０６段階に移動する。６０５段階で前記抽出されたメッセージの終わりに該当する場合には合算された決済金額を表示（６０７）してユーザに提供する。
【００１６】
図７は使用所別決済費用の合計／検索が可能な機能の順序図を示している。まず、検索または合計を求める使用所を入力（７０１）され、貯蔵されているメッセージの数を抽出し、貯蔵されたメッセージリストの始めにファイルのポインタを移動（７０２）する。その後、一つの文字メッセージを読み込んで読み込んだ文字メッセージが決済関連メッセージで前記入力された使用所に該当しているか否かを判断（７０３）する。この時、読み込んだ文字メッセージが決済関連文字メッセージで前記入力された使用所に属する場合には決済額を合算（７０４）し、現在ポインタの位置が前記抽出されたメッセージの終わりなのか否かを判断（７０５）し、前記抽出されたメッセージの終わりでない場合には次のメッセージにポインタを移動（７０６）し、再び７０３段階に移動する。一方、７０３段階で読み込んだ文字メッセージが決済関連文字メッセージではないか、あるいは前記入力された期間の範囲に含まれない場合には７０６段階に移動する。７０５段階で前記抽出されたメッセージの終わりに該当する場合には合算された決済金額を表示（７０７）してユーザに提供する。
【００１７】
図８は携帯通信端末機で購買票管理を行う機能の実施形態を示している。まず、顧客が携帯通信端末機を利用してＤＢＴＡＮＫ（購買票を通信網上で販売するコンピュータ）に接続してチケットを申請（１）すれば、前記コンピュータＤＢＴＡＮＫはチケット使用可能か否かに関して確認を要請（２）し、認証機ＡＵＴＨＥＮＴＩＣＡＴＯＲはコンピュータＤＢＴＡＮＫ上のチケット情報が有効か否かを確認（３）する。このような確認を受けたコンピュータＤＢＴＡＮＫはバーコード形式のチケット情報を顧客ＣＵＳＴＯＭＥＲの携帯通信端末機に伝送（４）し、顧客ＣＵＳＴＯＭＥＲは自身の携帯通信端末機に受信されて貯蔵されているバーコード形式のチケットを認証機ＡＵＴＨＥＮＴＩＣＡＴＯＲに提示（５）して入場券または各種物品を交換（６）できる。このような場合において、携帯通信端末機で受信されて貯蔵される決済関連文字メッセージにある決済関連情報には前記バーコード形式のチケット情報を含みうる。
【００１８】
一方、携帯通信端末機に次のようなメニューを構成して決済関連文字メッセージを管理できる。
１．基本機能
（１）決済情報照会−決済関連文字メッセージリスト及び前記文字メッセージの内容を見ることができる機能。
（２）買い物かご−図８を参照して説明したような購買票を管理する機能。
（３）検索／合算−期間別／使用所別の合計／検索の可能な機能。
（４）情報削除−必要ない情報を削除する機能及び一定期間が過ぎた文字メッセージを自動的に削除する機能、
２．パスワード管理機能−パスワード設定、変更及び解除機能。
【００１９】
一方、前述の本発明の実施形態をコンピュータで実行できるプログラムで作成可能である。そして、コンピュータで使われる媒体を利用して前記プログラムを動作させる汎用ディジタルコンピューターで具現できる。前記媒体はマグネチック貯蔵媒体（例えば、ＲＯＭ、フロッピディスク、ハードディスクなど）、光学的判読媒体（例えば、ＣＤ−ＲＯＭ、ＤＶＤなど）及びキャリアウエーブ（例えば、インターネットを通じた伝送）のような貯蔵媒体を含む。
【００２０】
ここまで本発明について望ましい実施形態を中心に説明した。本発明が属する技術分野における当業者は本発明が本発明の本質的な特性からはずれない範囲で変形された形態に具現できることを理解できるであろう。従って、開示された実施形態は限定的な観点ではなく説明的な観点で考慮されるべきである。本発明の範囲は前述した説明ではなく、特許請求の範囲に示され、それと同等な範囲内にあるあらゆる差異点は本発明に含まれるものと解釈されるべきである。
【００２１】
【発明の効果】
本発明によれば携帯通信端末機で決済関連文字メッセージを別途に管理できることにより、ユーザは手軽に決済費用情報を管理でき、必要な統計的な分析結果までも提供されうるメリットがある。また、図２のように定義されたデータ構造を利用する場合、文字メッセージが占める容量を減らせられてより多くのメッセージの貯蔵が可能である。一方、図８のように携帯通信端末機を利用して購買票を便利に管理可能になることによりＭＣの活性化にも寄与できる。
【図面の簡単な説明】
【図１】  ＳＭＳプロトコルスタックを示している。
【図２】  ＩＳ−６３７のレイヤ構造を示している。
【図３】  図２のユーザテーブル部分のデータ構造の実施形態を示している。
【図４】  携帯用通信端末機での費用決済文字メッセージ管理装置を示している。
【図５】  決済関連文字メッセージリストを照会する機能の順序図を示している。
【図６】  期間別決済費用の合計／検索の可能な機能の順序図を示している。
【図７】  使用所別決済費用の合計／検索の可能な機能の順序図を示している。
【図８】  携帯用通信端末機で購買票の管理を行う機能の実施形態を示している。
【符号の説明】
４０１  メッセージ受信部
４０２  一般メッセージ管理部
４０３  決済メッセージ管理部
４０４  メッセージ表示部
４０５  選択部
【図１】
0004554878.tif 000002
【図２】
0004554878.tif 000003
【図３】
0004554878.tif 000004
【図４】
0004554878.tif 000005
【図５】
0004554878.tif 000006
【図６】
0004554878.tif 000007
【図７】
0004554878.tif 000008
【図８】
0004554878.tif 000009